(57)【要約】      （修正有）【課題】遊技機周りの掃除、遊技機のメンテナンス、搬出・搬入等の作業時の作業者の負担を軽減し、作業効率を向上する遊技場用椅子を提供する。【解決手段】遊技場の遊技機に対応して遊技機正面に設置される遊技場用椅子１において、遊技場の床面Ｇに立設される脚部１０と、脚部１０に支持され遊技者が着座する座面部１１と、遊技者の背を支持する背もたれ部材１２と、座面部１１の後縁から立設され、背もたれ部材１２を座面部１１と連結して支持する支持部材１３と、を備え、背もたれ部材１２は、エラストマーを主体とする可撓性を有する材料からなり、遊技機に向かって後方へは遊技者の背中を支持する部材として作用し、遊技機周りの掃除、遊技機のメンテナンス、交換作業等を行う作業者の体圧または遊技機により、背もたれ部材１２に対して付勢力が生じたとき、背もたれ部材１２の上端Ｔが高さを減じる方向に変位する。【選択図】図１
2017200525.tif 000002
【特許請求の範囲】
【請求項１】
遊技場の遊技機に対応して遊技機正面に設置される遊技場用椅子において、
遊技場の床面に立設される脚部と、
脚部に支持され遊技者が着座する座面部と、
遊技者の背を支持する背もたれ部材と、
座面部の後縁から立設され、背もたれ部材を座面部と連結して支持する支持部材と、を備え、
前記背もたれ部材は、エラストマーを主体とする可撓性を有する材料からなり、遊技機に向かって後方へは遊技者の背中を支持する部材として作用し、
遊技機周りの掃除、遊技機のメンテナンス、交換作業等を行う作業者の体圧または遊技機により、前記背もたれ部材に対して付勢力が生じたとき、前記背もたれ部材の上端が高さを減じる方向に変位することを特徴とする遊技場用椅子。
【請求項２】
前記背もたれ部材は、上端を前方に付勢した場合に、上端を水平方向に２００ｍｍ変位させるための上端への付勢力が５−１０ｋｇｆであることを特徴とする請求項１に記載の遊技場用椅子。
【請求項３】
前記背もたれ部材を構成する材料は、オレフィン系エラストマーにポリプロピレン系樹脂を添加したものであることを特徴とする請求項１または請求項２に記載の遊技場用椅子。
【請求項４】
前記支持部材の上端は、前記背もたれ部材の高さの半分以下の位置になるように構成されていることを特徴とする請求項１ないし請求項３のいずれか１つに記載の遊技場用椅子。
【請求項５】
前記支持部材は、前記背もたれ部材の下方の外周部を固定して支持するように構成されていることを特徴とする請求項１ないし請求項４のいずれか１つに記載の遊技場用椅子。
【発明の詳細な説明】
【技術分野】
【０００１】
本発明は、遊技場用椅子に関する。
【背景技術】
【０００２】
パチンコ台やスロットマシンなどの遊技機が設置された遊技場では、各遊技機に対向して遊技者が着座する椅子が床に固定されて設けられている。ここで、遊技者が遊技をする姿勢の関係上、通常、背もたれ部の上端が遊技機の下端より上部に位置している。つまり、椅子の後方から遊技機を見たときに、背もたれ部の一部が遊技機と重なる状態となっている。
【０００３】
遊技場では、定期的に遊技機周りの掃除、遊技機のメンテナンス、新規遊技機（いわゆる新台）の入れ替えのための搬出・搬入作業等が行われる。遊技機周りの掃除、遊技機のメンテナンスにおいては、椅子の背もたれ部を避けながら、椅子に着座したり、回り込んで作業を行ったり、新規遊技機（いわゆる新台）の入れ替えのための搬出・搬入作業においては、数十ｋｇの遊技機を、椅子の背もたれ部を越える高さの位置まで持ち上げたりしなければならないため、作業者に大きな負担となっていた。
【０００４】
このような作業者の負担を解消する技術として、例えば、特許文献１には、背もたれ部を腰掛け部側に折りたたむことができる遊技場用椅子が開示されている。また、特許文献２には、背もたれ部を鉛直方向に移動可能に構成された遊技場用椅子が開示されている。
【先行技術文献】
【特許文献】
【０００５】
【特許文献１】特開２０１２−７０９８８号公報
【特許文献２】特開２０１３−１３５７６８号公報
【発明の概要】
【発明が解決しようとする課題】
【０００６】
上記の技術により作業者の負担は低減することはできるが、これらの椅子の構造は複雑であり、コストが上昇するおそれがあった。また、背もたれ部を折りたたむ、鉛直方向に移動させる、等の追加の操作が必要であり、作業効率を向上することはできなかった。
【０００７】
そこで、本発明では、遊技機周りの掃除、遊技機のメンテナンス、搬出・搬入等の作業時の作業者の負担を軽減し、作業効率を向上する遊技場用椅子を提供することを目的とする。
【課題を解決するための手段】
【０００８】
上記課題を解決するため、請求項１に記載の発明では、遊技場の遊技機に対応して遊技機正面に設置される遊技場用椅子において、遊技場の床面に立設される脚部と、脚部に支持され遊技者が着座する座面部と、遊技者の背を支持する背もたれ部材と、座面部の後縁から立設され、背もたれ部材を座面部と連結して支持する支持部材と、を備え、前記背もたれ部材は、エラストマーを主体とする可撓性を有する材料からなり、遊技機に向かって後方へは遊技者の背中を支持する部材として作用し、遊技機周りの掃除、遊技機のメンテナンス、交換作業等を行う作業者の体圧または遊技機により、前記背もたれ部材に対して付勢力が生じたとき、前記背もたれ部材の上端が高さを減じる方向に変位する、という技術的手段を用いる。
【０００９】
請求項１に記載の発明によれば、作業者や遊技機により付勢される力の方向に応じて背もたれ部材が折れ曲がり、背もたれ部材の上端が下方に変位するため、作業時に遊技機の下端と背もたれ部材の上端との高さの差を低減することができる。これにより、遊技場用椅子の背もたれ部材を避けながら、遊技場用椅子に着座したり、回り込んで作業を行うことを避けることができ、遊技機の搬出・搬入の作業時に、遊技機を持ち上げる高さを低減することができるので、作業者の負担を軽減し、作業効率を向上させることができる。
【００１０】
請求項２に記載の発明では、請求項１に記載の遊技場用椅子において、前記背もたれ部材は、上端を前方または後方に付勢した場合に、上端を２００ｍｍ変位させるための上端への付勢力が５−１０ｋｇｆである、という技術的手段を用いる。
【００１１】
作業時に有効に作用するためには、上端が２００ｍｍ程度変位することが好ましい。このとき、５ｋｇｆより小さい力で変位すると、柔らかすぎて背もたれとしては十分に機能せず、１０ｋｇｆを超える付勢力が必要だと、体圧による付勢では十分に変位しなくなるため、付勢力を上記の範囲に設定することが好ましい。
【００１２】
請求項３に記載の発明では、請求項１または請求項２に記載の遊技場用椅子において、前記背もたれ部材を構成する材料は、オレフィン系エラストマーにポリプロピレン系樹脂を添加したものである、という技術的手段を用いる。
【００１３】
請求項３に記載の発明によれば、オレフィン系エラストマーにポリプロピレン系樹脂を添加してエラストマーの物性を調整することができるので、本発明の遊技場用椅子の背もたれ部材の構成材料として好適に用いることができる。
【００１４】
樹脂材料の物性を、請求項２に記載の発明のようにすることにより、背もたれ部材が柔らか過ぎることなく背もたれとして十分な機能を発揮するとともに、硬過ぎることなく作業者の体圧の付勢により変位することができ、好適である。
【００１５】
請求項４に記載の発明では、請求項１ないし請求項３のいずれか１つに記載の遊技場用椅子において、前記支持部材の上端は、前記背もたれ部材の高さの半分以下の位置になるように構成されている、という技術的手段を用いる。
【００１６】
請求項４に記載の発明のように、支持部材の上端の高さが、背もたれ部材の高さの半分以下の位置になるように構成することにより、支持部材の剛性が上端の変位を拘束しないようにすることができる。背もたれ部材が変位したときに、その上端の高さをより低くすることができ、好適である。
【００１７】
請求項５に記載の発明では、請求項１ないし請求項４のいずれか１つに記載の遊技場用椅子において、前記支持部材は、前記背もたれ部材の下方の外周部を固定して支持するように構成されている、という技術的手段を用いる。
【００１８】
請求項５に記載の発明のように、支持部材として背もたれ部材の下方の外周部を固定して支持するように構成されているものを採用することができる。
【図面の簡単な説明】
【００１９】
【図１】本発明の遊技場用椅子の右側面図を、遊技機との位置関係がわかるように示した説明図である。
【図２】本発明の遊技場用椅子の正面図である。
【図３】本発明の遊技場用椅子の正面図である。
【図４】遊技機周りの掃除、遊技機のメンテナンス等の作業を行う際の背もたれ部材の状況を模式的に示す説明図である。
【図５】遊技機の搬出・搬入等作業を行う際の背もたれ部材の状況を模式的に示す説明図である。
【図６】本発明の遊技場用椅子の変更例を示す説明図である。図６（Ａ）は正面図、図６（Ｂ）は背面図である。
【発明を実施するための形態】
【００２０】
本発明に係る遊技場用椅子について図を参照して説明する。なお、以下の説明において、上下方向は遊技場用椅子の設置状態を基準とし、遊技場用椅子から見て遊技機側を前方、遊技者が遊技機を正面視したときの背もたれ部側を後方とする。
【００２１】
図１−３に示すように、遊技場用椅子１は、パチンコ台やスロットマシン等の遊技機２を備えた遊技場に設けられるもので、各遊技機２に対応して遊技機正面にそれぞれ設置されている。
【００２２】
遊技場用椅子１は、遊技場の床面Ｇに立設される脚部１０と、脚部１０に支持され遊技者が着座する座面部１１と、遊技者の背を支持する背もたれ部材１２と、座面部１１の後縁から立設され、背もたれ部材１２を座面部１１と連結して支持する支持部材１３と、を備えている。
【００２３】
脚部１０及び座面部１１は公知の構成であり、座面部１１は、脚部１０に対し、前後方向に移動、高さを調節及び水平方向に回動可能に構成されており、着座していないときには図１に示すような所定の姿勢に復帰するように構成されている。
【００２４】
背もたれ部材１２は、着座した遊技者の背中を支持する背もたれ部１２ａと、背もたれ部１２ａの背面側に設けられ、支持部材１３により連結される取付部１２ｂと、を備えている。
【００２５】
背もたれ部１２ａは遊技者の背中の形状に合うように後方に凸に形成されており、通気性がよくなり長時間快適に遊技を楽しめるように、複数個の貫通孔１２ｃが形成されている。また、遊技者の腰部に相当する位置にクッション１２ｄが取り付けられている。背もたれ部１２ａの周縁部は、後方に向かって湾曲して形成されており、剛性を高めている。
【００２６】
ここで、背もたれ部材１２の上端Ｔは、遊技者が遊技をする姿勢の関係上、遊技機２の下端Ｂより上部に位置している。つまり、背もたれ部材１２の上端Ｔの高さＨ１は、遊技機２の下端Ｂの高さＨ２より高く、遊技場用椅子１の後方から遊技機２を正面視したときに、背もたれ部材１２の一部が遊技機２と重なる状態となっている。
【００２７】
背もたれ部材１２は、エラストマーを主体とする可撓性を有する材料からなり、着座した遊技者の背中を支持する背もたれとしての機能を十分に発揮しうる弾性を有している。また、後述する作業時に背もたれ部材１２が邪魔にならないような柔軟性を併せて有している。
【００２８】
具体的には、遊技機２周りの掃除、遊技機２のメンテナンス、交換作業等を行う作業者の体圧により、または、遊技機２の搬入作業時に遊技機２により、背もたれ部材１２に対して後方から前方へ付勢力が生じたとき、背もたれ部材１２が折れ曲がり、背もたれ部材１２の上端Ｔが前方の高さを減じる方向に変位することができる。また、遊技機２の搬出作業時に遊技機２により背もたれ部材１２に対して前方から後方へ付勢力が生じたとき、背もたれ部材１２の上端Ｔが後方の高さを減じる方向に変位することができる。
【００２９】
通常、背もたれ部材を構成する代表的な材料であるポリプロピレン系樹脂などは、硬過ぎて上述のような作用を生じさせることができない。また、市販のエラストマーでは柔らかく背もたれとしての効果を十分に奏することができない。
【００３０】
そこで、本発明では、エラストマーに樹脂材料を添加し、硬度、弾性率などの物性を調整した。本実施形態では、エラストマーは、オレフィン系エラストマーにポリプロピレン系樹脂を重量比で２：１の割合になるように添加したものである。ここで、上記エラストマーは例示であり、要求物性を充足する材料であれば他の材料を用いることもできる。
【００３１】
ここで、エラストマーの物性は、背もたれ部材１２の上端Ｔを前方に付勢した場合に、上端Ｔを水平方向に２００ｍｍ変位させるための上端Ｔへの付勢力が５−１０ｋｇｆであるように調整した。
【００３２】
身長１５０ｃｍの人が無理なく作業するためには上端Ｔは水平方向に２５０ｍｍ程度変位することが好ましく、身長１８０ｃｍの人が無理なく作業するためには上端Ｔは水平方向に１５０ｍｍ程度変位することが好ましい。背もたれ部材１２が、本発明の効果を有効に奏するためには、上端Ｔが上記変位量の中心値である２００ｍｍ程度変位するとき、５ｋｇｆより小さい力で変位すると、柔らかすぎて背もたれとしては十分に機能せず、１０ｋｇｆを超える付勢力が必要だと、体圧による付勢では十分に変位しなくなるため、付勢力を上記の範囲に設定することが好ましい。
【００３３】
支持部材１３は、背もたれ部材１２を取付部１２ｂにおいて座面１１に固定する部材であり、本実施形態では板バネ状に形成されている。ここで、支持部材１３の上端の高さが、背もたれ部材１２の高さの半分以下の位置になるように構成することにより、支持部材１３の剛性が上端Ｔの変位を拘束しないようにすることができ、背もたれ部材１２が変位したときに、その上端Ｔの高さをより低くすることができ、好適である。ここで、「背もたれ部材１２の高さ」とは、上端Ｔの地表からの高さＨ１ではなく、背もたれ部材１２自体の高さを示す。
【００３４】
次に、遊技機２の各種作業時における遊技場用椅子１の挙動について説明する。
【００３５】
図４には、作業者が遊技機２周りの掃除、遊技機２のメンテナンス等の作業を行う場合を示す。
【００３６】
まず、図４（Ａ）に示すように、作業者は遊技場用椅子１の後方から遊技機２に対面する。
【００３７】
続いて、図４（Ｂ）に示すように、作業者が腹部を背もたれ部材１２に当接させ前方へ傾斜させると、背もたれ部材１２に後方から作業者の体圧による付勢力が生じ、背もたれ部材１２の上端Ｔが前方の高さを減じる方向に変位する。
【００３８】
続いて、図４（Ｃ）に示すように、作業が完了し、作業者が背もたれ部材１２に負荷していた体圧を解除すると、図４（Ｄ）に示すように、背もたれ部材１２は元の形状に復帰する。
【００３９】
これにより、作業者は遊技場用椅子１から回り込むことなく遊技機２のメンテナンスを行うことができる。
【００４０】
図５は、遊技機２を搬出する作業を示す。
【００４１】
まず、図５（Ａ）に示すように、作業者は遊技場用椅子１の側方から遊技機２に対面する。
【００４２】
続いて、図５（Ｂ）に示すように、作業者が遊技機２を持ち上げて、背もたれ部材１２に当接させ後方へ搬送すると、背もたれ部材１２に後方から遊技機２による付勢力が生じ、背もたれ部材１２の上端Ｔが後方の高さを減じる方向に変位する。
【００４３】
続いて、図５（Ｃ）に示すように、作業者が遊技機２を更に後方に搬送すると、背もたれ部材１２の上端Ｔの高さが初期の高さＨ１より減じた状態で搬送することができる。これにより、作業者は背もたれ部材１２の初期の高さＨ１まで遊技機２を持ち上げなくても遊技機２を搬出することができる。
【００４４】
続いて、図５（Ｄ）に示すように、作業が完了し、遊技機２による付勢力が解除されると、背もたれ部材１２は元の形状に復帰する。
【００４５】
（変更例）
本実施形態では、クッション１２ｄは腰部のみに設けられているが、別体のクッションを遊技者の背部に対応する位置に設けることもできる。また、クッション１２ｄがない構成も採用することができる。
【００４６】
複数個の貫通孔１２ｃの数、位置などを調整することにより、背もたれ部１２ａの剛性を調整することもできる。
また、エラストマーに硬質材料を分散させたり、板バネを挿入したりすることにより、背もたれ部１２ａの剛性を調整することもできる。
【００４７】
支持部材は、背もたれ部材１２を変位可能に支持できれば、各種形状を採用することができる。例えば、図６に示すように、背もたれ部材１２の下方の外周部を固定して支持する枠状に形成された支持部材１４を採用することもできる。支持部材１４は、座面部１１に取り付けられ、背もたれ部材１２の下方の外周部を固定して支持する本体部１４ａと、本体部１４ａの上端部に梁渡される梁部１４ｂと、からなる。この構成によれば、背もたれとして機能するための剛性を本体部１４ａにより背もたれ部材１２に付与するとともに、背もたれ部材１２のうち梁部１４ｂから上方の部分では、付勢力による変位を生じやすくすることができるので、背もたれ部材１２を構成する材料として、ゴム質材料、オレフィン系エラストマー、熱可塑性ポリウレタン、熱可塑性エラストマー、ポリエチレン、塩化ビニル、などのような剛性が低い材料を用いることができる。これにより、遊技者の座り心地を向上させることができる。また、本体部１４ａの高さは、本発明の効果を奏することができる高さを適宜設定することができる。
【００４８】
（実施形態の効果）
本発明の遊技場用椅子１によれば、作業者や遊技機２により付勢される力の方向に応じて背もたれ部材１２の上端Ｔが下方に変位するため、作業時に遊技機２の下端Ｂと背もたれ部材１２の上端Ｔとの高さの差を低減することができる。これにより、背もたれ部材１２を避けながら、遊技場用椅子１に着座したり、回り込んで作業を行うことを避けることができ、遊技機２の搬出・搬入の作業時に、遊技機２を持ち上げる高さを低減することができるので、作業者の負担を軽減し、作業効率を向上させることができる。
【実施例】
【００４９】
本発明の効果を奏する構成の遊技場用椅子を用意し、背もたれ部材について、付勢力と上端の変位との関係を調べた。背もたれ部材は、オレフィン系エラストマーにポリプロピレンを重量比で２：１の割合になるように添加した素材を用い、射出成形により作製した、上方の最大幅３９０ｍｍ、下方の最小幅２５０ｍｍ、高さ５８０ｍｍ、厚さ５−２０ｍｍで、直径１３ｍｍの貫通孔が２５−３０ｍｍ間隔で形成されているものを用いた。
【００５０】
付勢力と上端の変位との関係は、以下の方法により測定した。なお、遊技場用椅子は床に固定されている。
・先端に棒状部材をくくりつけた紐とばねばかりの荷重測定用カギ部に連結する。
・棒状部材を貫通孔から挿入し、背もたれ部材に係止した後に、上端から紐を回し掛ける。
・ばねばかりを水平方向、または、鉛直方向に変位させ、変位量及び荷重を測定する。
ここで、変位量は、測定前に背もたれ部材近傍に配置したスケールを読み取ることにより測定した。
【００５１】
背もたれ部材の上端に水平方向の荷重を負荷し、前方（遊技機側）へ変位させた場合、変位量１５０ｍｍで荷重は７ｋｇｆ、変位量２００ｍｍで荷重は９ｋｇｆ、変位量２４０ｍｍで荷重は１０ｋｇｆであった。これにより、変位量が２００ｍｍであるときの付勢力が５−１０ｋｇｆの範囲であることが確認された。また、抜重することにより、背もたれ部材の上端は初期の位置に復帰し、変形が残ることはなかった。なお、比較のため行ったオレフィン系エラストマーのみで形成された背もたれ部材では、変位量１５０ｍｍで荷重は２ｋｇｆ、変位量２４０ｍｍで荷重は６ｋｇｆであった。
【００５２】
また、背もたれ部材の上端に後方の鉛直方向の荷重を負荷し、上端の鉛直方向への変位量を調べた。上端の高さは、荷重４ｋｇｆまでは徐々に低下し、４ｋｇｆで急激に変位し、背もたれ部材の上半分程度の領域が地面と平行になった。これにより、下方に４ｋｇｆ以上の荷重が負荷されるような付勢力が生じると、背もたれ部材の上端の位置が大きく下方に移動し、作業者が作業しやすい状態になることが確認された。また、抜重することにより、背もたれ部材の上端は初期の位置に復帰し、変形が残ることはなかった。
【符号の説明】
【００５３】
１…遊技場用椅子
２…遊技機
１０…脚部
１１…座面部
１２…背もたれ部材
１２ａ…背もたれ部
１２ｂ…取付部
１２ｃ…貫通孔
１２ｄ…クッション
１３、１４…支持部材
【図１】
2017200525.tif 000003
【図２】
2017200525.tif 000004
【図３】
2017200525.tif 000005
【図４】
2017200525.tif 000006
【図５】
2017200525.tif 000007
【図６】
2017200525.tif 000008